(57)【要約】【課題】本開示は、内槽と外槽の間を満遍なく洗浄できる洗濯機を提供する。【解決手段】本開示における洗濯機は、外槽１の内壁であるポケット構造部内壁１８と略平行に設けられたリブ１９と、リブ１９とポケット構造部内壁１８との間の、槽洗浄行程における内槽３の回転方向先行側を閉塞するように設けられた閉塞部２０と、リブ１９とポケット構造部内壁１８と閉塞部２０により、外槽１の上下方向に形成されるポケット構造２２と、外槽１の底部近傍からポケット構造２２に向かって内槽３の回転により発生する水流を導く傾斜面２１と、を備える。ポケット構造２２は、ポケット構造２２に導かれた水を外槽１と内槽３との間に逃がす出口２３を有する。これにより、槽洗浄行程によって、外槽１の内壁面、及び内槽３の外壁面に付着した洗剤滓を満遍なく洗い流すことができる。【選択図】図５
2020175020.tif 000002
【特許請求の範囲】
【請求項１】
筐体と、有底円筒形状に形成され、前記筐体の内部に弾性支持された外槽と、前記外槽の内部に回転自在に配設された内槽と、前記内槽を回転駆動する駆動手段と、
洗い行程、濯ぎ行程、脱水行程などの一連の洗濯運転を制御し、所定水位で前記内槽を回転させる槽洗浄行程を実施可能に構成されている制御装置と、を備え、
前記外槽は、前記外槽の内壁と略平行に設けられたリブと、前記リブと前記内壁との間の、前記槽洗浄行程における前記内槽の回転方向先行側を閉塞するように設けられた閉塞部と、前記リブと前記内壁と前記閉塞部により、前記外槽の上下方向に形成される水路と、前記外槽の底部近傍から前記水路に向かって前記内槽の回転により発生する水流を導く傾斜面と、を備え、
前記水路は、前記水路に導かれた水を前記外槽と前記内槽との間に逃がす出口を有する、洗濯機。
【発明の詳細な説明】
【技術分野】
【０００１】
本開示は、洗濯機に関する。
【背景技術】
【０００２】
特許文献１は、内槽の外面、及び外槽の内面に付着する洗剤滓を除去する行程を備えた洗濯機を開示する。特許文献１における洗濯機は、外槽と、外槽の内部に配設された内槽と、内槽を回転駆動させる駆動手段と、を備える。洗濯機は、すすぎ行程の終わりに、内槽の回転によって外槽内の洗濯液に遠心力を作用させ、内槽と外槽の間の洗濯液を撹乱する行程を実行する。
【先行技術文献】
【特許文献】
【０００３】
【特許文献１】特開２００４−３１３２３２号公報
【発明の概要】
【発明が解決しようとする課題】
【０００４】
前記従来の構成では、内槽と外槽の間の洗濯液を撹乱する行程を実行しても、内槽の上部に洗濯液を当てることが難しいという課題があった。
【０００５】
本開示は、内槽と外槽の間を満遍なく洗浄できる洗濯機を提供する。
【課題を解決するための手段】
【０００６】
本開示における洗濯機は、筐体と、有底円筒形状に形成され、前記筐体の内部に弾性支持された外槽と、前記外槽の内部に回転自在に配設された内槽と、前記内槽を回転駆動する駆動手段と、洗い行程、濯ぎ行程、脱水行程などの一連の洗濯運転を制御し、所定水位で前記内槽を回転させる槽洗浄行程を実施可能に構成されている制御装置と、を備える。前記外槽は、前記外槽の内壁と略平行に設けられたリブと、前記リブと前記内壁との間の、前記槽洗浄行程における前記内槽の回転方向先行側を閉塞するように設けられた閉塞部と、前記リブと前記内壁と前記閉塞部により、前記外槽の上下方向に形成される水路と、前記外槽の底部近傍から前記水路に向かって前記内槽の回転により発生する水流を導く傾斜面と、を備え、前記水路は、前記水路に導かれた水を前記外槽と前記内槽との間に逃がす出口を有している。
【発明の効果】
【０００７】
本開示における洗濯機は、内槽と外槽の間を満遍なく洗浄できる。
【図面の簡単な説明】
【０００８】
【図１】実施の形態１における洗濯機の縦断面図
【図２】同洗濯機の外槽の縦断面図
【図３】同洗濯機の外槽の上面図
【図４】同洗濯機の槽洗浄行程の要部動作タイムチャート
【図５】同洗濯機のポケット構造周辺における水流ａ及び水流ｂを説明する横から見た模式図
【図６】同洗濯機のポケット構造周辺における水流ｂを説明する上から見た模式図
【発明を実施するための形態】
【０００９】
以下、図面を参照しながら、実施の形態を詳細に説明する。なお、添付図面および以下
の説明によって本発明が限定されるものではない。
【００１０】
（実施の形態１）
以下、図１〜図６を用いて、実施の形態１を説明する。
【００１１】
（洗濯機の基本構成）
図１は、実施の形態１における洗濯機の縦断面図である。
【００１２】
図１に示すように、外槽１は、上方に開口する有底円筒形状に形成されており、筐体５の内部に配設されて吊り棒（図示せず）により揺動可能に支持されている。内槽３は、外槽１と同様に有底円筒形状に形成されており、外槽１の内部に回転自在に内包されている。内槽３は、側面に多数の通水孔７が形成されており、通水孔７を介して内外に洗濯液を通水させる。
【００１３】
内槽３の開口と対向する位置において、筐体５には洗濯物を投入するための洗濯物投入口６が形成されている。蓋１１は、洗濯物投入口６を覆うように開閉自在に設けられている。
【００１４】
内槽３の内底部には、パルセータ２が回転自在に配設されている。モータ８は、減速機構兼クラッチ９を介して、パルセータ２、又はパルセータ２及び内槽３を回転駆動させる。排水弁１３は内槽３内の洗濯液を排水し、給水弁１６は給水口１７を介して内槽３内に給水する。内槽３の上部には、脱水時の振動を低減させるための流体バランサ１０が配設されている。流体バランサ１０の上部には、外槽１と内槽３との間隙を覆うように外槽カバー１ａが取り付けられている。
【００１５】
制御装置１２は、制御基板（図示せず）を内包しており、筐体５の背面側内部に配設されている。制御装置１２は、モータ８、排水弁１３、給水弁１６などを制御して、洗い、すすぎ、脱水の一連の行程を逐次制御する。
【００１６】
（外槽１の内部構造）
図２は、実施の形態１における洗濯機の外槽の縦断面図、図３は、同洗濯機の外槽の上面図である。
【００１７】
図２に示すように、外槽１の内壁面には、回転中心に対して点対称となる位置において、ポケット構造２２が二箇所形成されている。図３に示すように、ポケット構造２２は、外槽１の外壁が回転方向に向かって膨出するように形成されている。本実施の形態では、ポケット構造２２における外壁をポケット構造部内壁１８とする。ポケット構造２２は、上下に形成されたリブ１９と、リブ１９とポケット構造部内壁１８とを閉塞するように設けられた閉塞部２０と、を有している。
【００１８】
リブ１９は、ポケット構造２２に先行する位置において、外槽１の内壁から延伸するように形成されている。ポケット構造２２は、リブ１９、閉塞部２０、ポケット構造部内壁１８により、上下方向の空間として構成されている。
【００１９】
閉塞部２０は、後述する槽洗浄行程における内槽３の回転方向先行側を閉塞するように、リブ１９と外槽１の内壁面との間で上下に形成されている。閉塞部２０は、リブ１９と外槽１の内壁面との間を略円弧状となるように接続している。これにより、閉塞部２０に水流が当たる際、リブ１９と外槽１の内壁面との間を直角に接続した場合に比べ、水流のエネルギーが損失することを抑制できる。
【００２０】
傾斜面２１は、外槽１の内底部近傍であってパルセータ２よりも低い位置から、閉塞部２０に向かって上方傾斜するように形成されている。傾斜面２１は、外槽１の内壁面における中部近傍で閉塞部２０と一体に接続される。
【００２１】
以上のように構成された洗濯機について、その動作を以下説明する。
【００２２】
（洗濯運転）
使用者は、蓋１１を開いて洗濯物を内槽３の内部に投入し、操作表示部１４を操作して洗濯運転を開始させる。使用者が操作表示部１４に表示された所定の洗剤量を投入すると、制御装置１２は給水弁１６を開いて内槽３の内部に給水する。制御装置１２は、所定の量の給水が終了すると給水弁１６を閉じ、パルセータ２を回転駆動させて洗濯物を攪拌する洗い行程が行われる。洗い行程が終了すると、洗濯液を一度排水し、再度給水して濯ぎ行程を開始する。濯ぎ行程では、洗い行程と同じようにパルセータ２を回転駆動させて洗濯物を攪拌する。濯ぎ行程の終わりにおいて、洗濯液を所定の水位まで排水すると槽洗浄行程が開始される。槽洗浄行程については後述する。槽洗浄行程が終了すると、槽洗浄行程で使用した水を排水して脱水行程に進む。脱水行程では、内槽３及びパルセータ２を回転させることで遠心力により洗濯物に含まれた洗濯液を取り除く。脱水行程が終了すると、洗濯運転を終了する。
【００２３】
次に、槽洗浄行程について説明する。
【００２４】
図４は、実施の形態１における洗濯機の槽洗浄行程の要部動作タイムチャート、図５は、同洗濯機のポケット構造周辺における水流ａ及び水流ｂを説明する横から見た模式図、図６は、同洗濯機のポケット構造周辺における水流ｂを説明する上から見た模式図である。
【００２５】
槽洗浄行程は、内槽３の回転によって外槽１内の洗濯液に遠心力を作用させ、内槽３と外槽１の間の洗濯液を撹乱する行程として構成される。
【００２６】
制御装置１２は、濯ぎ行程の終わりにおいて、洗濯物の量に応じた所定の水位まで排水を実施し、槽洗浄行程を開始させる。所定の水位は、パルセータ２の上面の近傍位置であり、ポケット構造２２よりも下方となるように設定されている。図４に示すように、制御装置１２は、内槽３を回転数Ｎとなるように回転数を上昇させ、回転数Ｎにおいて所定の時間回転を継続する。回転数Ｎは、通常の洗濯運転の回転数よりも高い回転数であり、外槽１の上方に洗濯液が飛び出して外槽カバー１ａに当たることがない回転数として設定される。
【００２７】
図５及び図６に示すように、外槽１の下部に溜まった水は、回転数Ｎで内槽３を回転させている間、回転方向に向かって傾斜面２１に沿って進む。傾斜面２１に案内された水は、閉塞部２０に沿って上方に向かう水流ａとなりポケット構造２２を上昇する。水流ａが閉塞部２０とぶつかって乱流になると、水流ａの一部はポケット構造２２の外へ逃げる水流ｂへ変わる。水流ａは、閉塞部２０の上部に到達する頃には、略全て水流ｂへ変わる。水流ｂは、ポケット構造２２の端部である出口２３から流れ出ると、内槽３の外壁及び外槽１の内壁に当たって付着した洗剤滓を洗い流す。このように、本実施の形態における洗濯機は、リブ１９の下方から上方の全体に渡って水流ｂを発生させることで、内槽３の外壁及び外槽１を上下満遍なく洗うことができる。
【００２８】
所定時間が経過すると、制御装置１２は、回転数Ｎで内槽３を回転させている状態で排水弁１３を開き、洗濯液を排水しながら徐々に回転を減速して停止させる。このように、遠心力が働いている状態で排水を実施することで、洗濯液中に含まれる洗剤滓が、外槽１
の内壁面や内槽３の外壁面に再付着することを抑制できる。排水が終了すると、槽洗浄行程が終了する。
【００２９】
（作用等）
以上のように、本実施の形態において、洗濯機は、筐体５と、有底円筒形状に形成され、筐体５の内部に弾性支持された外槽１と、外槽１の内部に回転自在に配設された内槽３と、内槽３を回転駆動するモータ８と、洗い行程、濯ぎ行程、脱水行程などの一連の洗濯運転を制御し、所定水位で内槽３を回転させる槽洗浄行程を実施可能に構成されている制御装置１２と、を備える。外槽１は、外槽１の内壁であるポケット構造部内壁１８と略平行に設けられたリブ１９と、リブ１９とポケット構造部内壁１８との間の、槽洗浄行程における内槽３の回転方向先行側を閉塞するように設けられた閉塞部２０と、リブ１９とポケット構造部内壁１８と閉塞部２０により、外槽１の上下方向に形成されるポケット構造２２と、外槽１の底部近傍からポケット構造２２に向かって内槽３の回転により発生する水流を導く傾斜面２１と、を備える。ポケット構造２２は、ポケット構造２２に導かれた水を外槽１と内槽３との間に逃がす出口２３を有する。
【００３０】
これにより、外槽１の内部に溜められた水を効率よく外槽１の上部に案内することができるので、外槽１の内壁面、及び内槽３の外壁面の上部に効率よく水を当てることができる。そのため、槽洗浄行程によって、外槽１の内壁面、及び内槽３の外壁面に付着した洗剤滓を満遍なく洗い流すことができる。
【００３１】
（他の実施の形態）
以上のように、本出願において開示する技術の例示として、実施の形態１を説明した。しかしながら、本開示における技術は、これに限定されない。
【００３２】
そこで、以下、他の実施の形態を例示する。
【００３３】
実施の形態１では、槽洗浄行程の一例として、洗濯運転の一連の行程に含まれる槽洗浄行程を説明した。槽洗浄行程は、所定水位で内槽を回転させる行程であればよいので、上記構成に限定されない。槽洗浄行程は、単独で槽洗浄行程のみを行う槽洗浄運転として構成されていてもよい。
【００３４】
実施の形態１では、槽洗浄行程における回転数の一例として、通常の洗濯運転の回転数よりも高い回転数であり、外槽１の上方に洗濯液が飛び出して外槽カバー１ａに当たることがない回転数である回転数Ｎを説明した。回転数は、閉塞部において下方から上方に渡って乱流を発生させる回転数であればよい。従って、槽洗浄行程は、回転数Ｎよりも大きな回転数で構成され、洗濯液が内槽の上端を乗り越えて洗濯物に向けて吐出されるようにしてもよい。なお、洗濯液が内槽の上端を乗り越えるようにするためには、外槽カバー１ａを取り付けない構成か、外槽カバー１ａに開口を形成する構成にするとよい。
【産業上の利用可能性】
【００３５】
本開示は、上方に開口する外槽及び内槽を備えた洗濯機に適用可能である。具体的には、縦型洗濯機に本開示は適用可能である。
【符号の説明】
【００３６】
１  外槽
１ａ  外槽カバー
２  パルセータ
３  内槽
５  筐体
６  洗濯物投入口
７  通水孔
８  モータ
９  減速機構兼クラッチ
１０  流体バランサ
１１  蓋
１２  制御装置
１３  排水弁
１４  操作表示部
１６  給水弁
１７  給水口
１８  ポケット構造部内壁（内壁）
１９  リブ
２０  閉塞部
２１  傾斜面
２２  ポケット構造（水路）
２３  出口
【図１】
2020175020.tif 000003
【図２】
2020175020.tif 000004
【図３】
2020175020.tif 000005
【図４】
2020175020.tif 000006
【図５】
2020175020.tif 000007
【図６】
2020175020.tif 000008